(57)【要約】【課題】  付属モニタ装置と外部モニタ装置のどちらを見ながらでも、選択操作を行えるようにする。【解決手段】  ディスク２０に記録された圧縮画像データは、ディスク制御装置１８及びバッファ１６を介してコーデック１４に送られ、伸長される。画像処理部２２は、コーデック１４からの再生画像からＬＣＤ２８に使用するサムネイルと、外部モニタ装置６０に使用するサムネイルを生成し、前者を画像メモリ２４に、後者を画像メモリ２９に格納する。ＣＰＵ３４は、操作部４２の画像を選択する操作に応じて、ＬＣＤ２８の画面上及び外部モニタ装置６０の表示画像を更新し、選択枠を移動する。【選択図】  図１
2008271258.tif 000002
【特許請求の範囲】
【請求項１】
複数の画像データを記録する画像記録装置と、
前記複数の画像データを示す表示用画像をＮ個まで一覧表示する第１の一覧表示画像と、前記複数の画像データを示す表示用画像を、Ｎより大きいＭ個まで一覧表示する第２の一覧表示画像とを生成する画像処理部と、
前記第１の一覧表示画像を表示する付属モニタ装置と、
前記第２の一覧表示画像を外部モニタ装置に出力する外部出力制御装置と、
前記複数の画像データの一つを選択する操作部
とを具備し、前記操作部の操作に従って、当該第１及び第２の一覧表示画像で選択状態を示す要素をそれぞれ更新することを特徴とする画像処理装置。
【請求項２】
前記画像処理部は、前記表示用画像を横方向にＸ個、縦方向にＮ／Ｘ個並べて前記第１の一覧表示画像を作成し、前記表示用画像を横方向にＸ個、縦方向にＭ／Ｘ個並べて前記第２の一覧表示画像を作成し、
前記操作部は、前記第１及び第２の一覧表示画像で前記選択状態を示す要素を上下左右に移動する手段からなる
ことを特徴とする請求項１に記載の画像処理装置。
【請求項３】
前記画像処理部は、前記表示用画像を横方向にＰ個、縦方向にＮ／Ｐ個並べて前記第１の一覧表示画像を作成し、前記表示用画像を横方向にＱ個、縦方向にＭ／Ｑ個並べて前記第２の一覧表示画像を作成し、
前記操作部は、前記第１及び第２の一覧表示画像で前記選択状態を示す要素を順方向と逆方向に移動する手段からなることを特徴とする請求項１に記載の画像処理装置。
【請求項４】
前記画像処理部は、前記操作部によって選択された画像データが、前記第１の一覧表示画像に表示されている範囲を外れた場合には、前記Ｎ個単位で表示している画像データの範囲を変更して、前記第１の一覧表示画像を更新することを特徴とする請求項２又は３に記載の画像処理装置。
【請求項５】
前記画像処理部は、前記操作部によって選択された画像データが、前記第２の一覧表示画像に表示されている範囲を外れた場合には、前記Ｍ個単位で表示している画像データの範囲を変更して、前記第２の一覧表示画像を更新することを特徴とする請求項２又は３に記載の画像処理装置。
【請求項６】
前記画像処理部は、前記操作部によって選択された画像データが、前記第２の一覧表示画像に表示されている範囲を外れた場合には、縦方向に１行単位で前記表示用画像をスクロールして、前記第２の一覧表示画像を更新することを特徴とする請求項２又は３に記載の画像処理装置。
【請求項７】
前記画像処理部は、前記第２の一覧表示画像に、対応する画像データの付属情報を含めることを特徴とする請求項１に記載の画像処理装置。
【請求項８】
前記画像処理部は、前記操作部によって選択された前記画像データの付属情報を、前記第２の一覧表示画像に含めること特徴とする請求項１に記載の画像処理装置。
【請求項９】
前記付属情報は、対応する画像データの名称、撮影時刻、データサイズ、及び撮影パラメータの何れか１つ以上からなることを特徴とする請求項７又は８に記載の画像処理装置。
【請求項１０】
前記画像データは動画像データであり、
前記画像処理部は、選択された前記動画像データのプレビュー画像を、前記第２の一覧表示画像に含めることを特徴とする請求項１乃至９の何れか１項に記載の画像処理装置。
【発明の詳細な説明】
【技術分野】
【０００１】
本発明は、表示能力の異なる２つの表示装置を利用する画像処理装置に関する。
【背景技術】
【０００２】
近年、磁気ディスク、光ディスク等のディスク媒体や、フラッシュメモリなどのランダムアクセス可能な記録媒体を用いて、画像を記録再生する映像記録再生装置が登場している。ビデオカメラの記録媒体にも、このようなランダムアクセス記録媒体が使用されるようになった。
【０００３】
通常、ビデオカメラは、記録済みの画像を再生表示する表示装置（付属モニタ装置）を具備すると共に、外部モニタ装置でも再生画像を表示できるように映像出力端子をも具備する。但し、図１０に示すように、従来のビデオカメラでは、付属モニタ装置と、映像出力端子にケーブルで接続した外部モニタ装置には、同じ画像信号が印加され、同じ画像が表示される。
【０００４】
ビデオカメラに限らず、多数の記録画像を扱う装置、例えば、ビデオ記録再生装置では、複数の記録画像のサムネイルを１画面内に一覧表示することが多い。この機能により、ユーザは、複数の記録画像から再生対象の画像を選択することが容易になる。なお、サムネイルは、例えば間引き処理によってデータサイズ又は画素数を小さくした静止画像である。動画の場合には、動画内の代表的な画面の画像、例えば、先頭位置から所定時間後の画面の画像からサムネイルを生成する。
【０００５】
ビデオカメラは、手のひらに収まるくらいに小型化しており、付属モニタ装置の表示サイズは、２〜５インチ程度である。これに対し、外部モニタ装置は、一般のテレビ受像機を利用できるので、１５インチ以上、時には３７インチ以上のものも利用される。
【０００６】
サムネイルの一覧表示では、付属モニタ装置の画面上でユーザが容易に各サムネイルの内容を識別出来るように、例えば、図１０に示すように、１画面にせいぜい６個のサムネイル画像が表示される。しかし、外部モニタ装置として使用可能な大画面のモニタ装置を使う場合には、個々のサムネイルが大きすぎ、従って、同時表示されるサムネイル数が少なすぎる。より多くのサムネイルを同時に表示しても、ユーザは各サムネイルの内容を識別できる。
【０００７】
特許文献１には、サムネイルの表示サイズをメニューで変更可能とし、外部のテレビ装置に接続するときには、選択された表示サイズのサムネイルを、表示サイズに応じた個数で一覧表示する表示処理技術が記載されている。
【特許文献１】特開２００６−２９５６５２号公報
【発明の開示】
【発明が解決しようとする課題】
【０００８】
しかし、外部モニタ装置を接続して画像を再生表示しているとき、本体を操作しているユーザが外部モニタ装置の画面を完全に見渡せる状況とは限らない。このような状況では、ユーザは、本体の付属モニタ装置の画面を見ながら操作を行う必要がある。
【０００９】
また、外部モニタ装置を接続していても、本体から出力される画像信号が外部モニタ装置に表示されているとは限らないし、また、表示していても、ユーザが外部モニタ装置の画面を見ていない可能性もある。
【００１０】
このような観点から、外部モニタ装置が接続された場合に、サムネイルの表示サイズ又は表示個数を変更してしまうと、付属モニタ装置を見ながらの操作が不可能又は著しく困難になってしまう。
【課題を解決するための手段】
【００１１】
上記の課題を解決するために、本発明に係る画像処理装置は、複数の画像データを記録する画像記録装置と、前記複数の画像データを示す表示用画像をＮ個まで一覧表示する第１の一覧表示画像と、前記複数の画像データを示す表示用画像を、Ｎより大きいＭ個まで一覧表示する第２の一覧表示画像とを生成する画像処理部と、前記第１の一覧表示画像を表示する付属モニタ装置と、前記第２の一覧表示画像を外部モニタ装置に出力する外部出力制御装置と、前記複数の画像データの一つを選択する操作部とを具備し、前記操作部の操作に従って、当該第１及び第２の一覧表示画像で選択状態を示す要素をそれぞれ更新することを特徴とする。
【発明の効果】
【００１２】
本発明によれば、付属モニタ装置と外部モニタ装置のどちらを見ながらでも、画像記録装置に記録される画像の選択操作を行うことができる。また、外部モニタ装置の画面サイズを活かして、より多くの情報を同時に表示することができ、ユーザが効率的に画像を選択できる。
【発明を実施するための最良の形態】
【００１３】
以下、図面を参照して、本発明の実施例を詳細に説明する。
【実施例１】
【００１４】
図１は、ディスク型の記録媒体に動画像データを記録するデジタルビデオカメラに適用した本発明の第１実施例である画像処理装置の概略構成ブロック図を示す。
【００１５】
ビデオカメラ１０は、カメラ部１２と、画像データを符号化・復号化するコーデック（ＣＯＤＥＣ）１４を具備する。ビデオカメラ１０はまた、撮影画像の記録再生のために、バッファメモリ１６と、ディスク２０へのデータ書き込みと読み出しを行うディスク制御装置１８とを具備する。
【００１６】
画像表示、サムネイルの一覧表示及びメニュー表示用に、画像処理部２２、画像メモリ２４、ＬＣＤ制御装置２６、液晶表示装置（ＬＣＤ）２８、画像メモリ２９、外部出力制御装置３０及び外部出力端子３２を具備する。接続ケーブル５０により外部出力端子３２に外部モニタ装置６０を接続できる。
【００１７】
ＣＰＵ３４、ＲＡＭ３６及びＲＯＭ３８が内部バス４０に接続する。内部バス４０には、カメラ部１２、コーデック１４、ディスク制御装置１８、画像処理部２２、ＬＣＤ制御装置２６及び外部出力制御装置３０も接続する。ＣＰＵ３４は、バス４０を介して、カメラ部１２、コーデック１４、ディスク制御装置１８、画像処理部２２、ＬＣＤ制御装置２６及び外部出力制御装置３０を制御する。操作部４２は、ユーザにより操作される各種の操作レバーやボタンなどからなり、ユーザの指示又は選択をＣＰＵ３４に入力するのに使用される。
【００１８】
本実施例の動画像の記録動作を説明する。カメラ部１２は、被写体の光学像を電気画像信号に変換する撮像素子を具備し、撮影画像のデジタル信号をコーデック１４に出力する。ユーザが操作部４２により画像記録開始をＣＰＵ３４に指示すると、ＣＰＵ３４は、カメラ部１２を起動して撮像動作（光学像を画像信号に変換する動作）を開始させ、コーデック１４を制御して、カメラ部１２からの画像データを読み込んで圧縮符号化させる。これにより、画像データは、ＭＰＥＧ方式で圧縮された圧縮データ、いわゆるＭＰＥＧデータに変換される。ＭＰＥＧデータは、バッファメモリ１６でバッファリングされて、ディスク制御装置１８に供給される。ディスク制御装置１８は、バッファメモリ１６からのＭＰＥＧデータをディスク２０に記録する。このようにして、動画像が圧縮符号化されてディスク２０に記録される。なお、このように記録される１つの動画像の単位をクリップと呼ぶ。バッファメモリ１６、ディスク制御装置１８及びディスク２０が、特許請求の範囲の画像記録装置に対応する。
【００１９】
ディスク２０に記録された何れかのクリップを再生する場合、先ず、ディスク２０に記録されるクリップをサムネイルで一覧表示する。このサムネイル一覧表示動作を説明する。サムネイルは、特許請求の範囲の表示用画像に相当する。
【００２０】
ＣＰＵ３４はディスク制御装置１８を制御して、ディスク２０から一覧表示する所定数のクリップの先頭画像とその付属情報、例えばファイル名と撮影日時の情報を順に読み出させる。付属情報としては、他にデータサイズ又は撮影パラメータ等がある。読み出された先頭画像の圧縮画像データは、バッファメモリ１６を介してコーデック１４に転送され、付属情報は、ＣＰＵ３４に転送される。コーデック１４は、先頭画像の圧縮画像データを復号化（伸長）する。画像処理部２２は、復号化された先頭画像データをリサイズし、付属モニタ表示用のサイズのサムネイルと外部モニタ表示用のサイズのサムネイルを生成する。前者を付属モニタ用サムネイルと呼び、後者を外部モニタ用サムネイルと呼ぶ。ＣＰＵ３４は、ディスク制御装置１８からの付属情報を文字コードから画像データに変換して、画像処理部２２に供給する。
【００２１】
画像処理部２２は、付属モニタ用サムネイルを画像メモリ２４上の、表示位置に相当するメモリ位置に格納する。また、画像処理部２２は、外部モニタ用サムネイルを、付属情報を示す画像データと共に画像メモリ２９上の、表示位置に相当するメモリ位置に格納する。
【００２２】
勿論、ディスク２０から読み出した１つ先頭画像から２種類のサムネイルを作成したが、ディスク２０から先頭画像を２回、読み出すようにしてもよい。このとき、画像処理部２２が、最初に読出した先頭画像から付属モニタ用サムネイルと外部モニタ用サムネイルの一方を生成し、２回目に読出した先頭画像から他方を生成する。
【００２３】
ＬＣＤ制御装置２６は、画像メモリ２４に格納される画像データを繰り返し読み出し、ＬＣＤ２８に供給する。これにより、画像メモリ２４に格納された１又は複数のサムネイルが、付属モニタ装置であるＬＣＤ２８の画面に所定数を単位として一覧表示される。画像メモリ２４に格納され、ＬＣＤ２８に表示される画像が、特許請求の範囲の第１の一覧表示画像に相当する。
【００２４】
また、外部出力制御装置３０は、画像メモリ２９に格納される画像データを繰り返し読み出し、標準ビデオ形式の画像信号に変換して外部出力端子３２に出力する。外部出力端子３２にケーブル５０を介して接続する外部モニタ装置６０の画面に、画像メモリ２９に格納された１又は複数のサムネイルがそれぞれの付属情報と共に、所定数を単位として一覧表示される。画像メモリ２９に格納され、外部モニタ装置６０で表示される画像が、特許請求の範囲の第２の一覧表示画像に相当する。
【００２５】
図２は、操作部４２の外観構成例を示す図である。操作部４２は、十字レバー４２ａ、ズームレバー４２ｂ、巻き戻しボタン４２ｃ、早送りボタン４２ｄ、再生／一時停止ボタン４２ｅ及び停止ボタン４２ｆで構成される。サムネイルの一覧表示のときには、十字レバー４２ａを上下左右に倒すことで選択対象を変更できる。再生／一時停止ボタン４２ｅを押下すると、選択されているサムネイルに対するクリップの再生が始まる。クリップ再生中に停止ボタン４２ｆを押下した場合、又は一連の再生が終了した場合、再び、サムネイルの一覧表示に戻る。
【００２６】
図３は、サムネイルの一覧表示の一例を示す。ディスク２０にはクリップＣ１〜Ｃ２２が記録されており、ユーザの操作によりクリップＣ９が選択されている状態であるとする。
【００２７】
ＬＣＤ２８には、クリップＣ７〜Ｃ１２のサムネイルが、横方向に３枚、縦方向に２枚ずつ並んで表示されている。横方向の個数：Ｘ＝３，ＬＣＤの表示個数：Ｎ＝６である。それに対して、外部モニタ装置６０には、クリップＣ１〜Ｃ１５のサムネイルが、横方向に３枚、縦方向に５枚ずつ並んで画面の左よりに表示されている。横方向の個数：Ｘ＝３，外部モニタ装置の表示個数：Ｍ＝１５である。どちらの画面でも、選択されているクリップＣ９のサムネイルには、選択状態を示す縁取りのような選択枠が付加的に表示されている。外部モニタ装置６０の画面の右よりには、選択されているサムネイルに対するクリップ（ここではクリップＣ９）が自動的に再生されるプレビュー画像枠７０が表示されている。プレビュー画像枠７０の下側には、プレビュー画像枠７０でのクリップの再生個所を示すシークバー７２と、プレビュー画像枠７０として再生されているクリップの名称及び撮影日時といった付属情報７４が表示されている。
【００２８】
図３に示すようにクリップＣ９が選択された状態から、ユーザが十字レバー４２ａを１度、上側に倒すことで、図４に示すように、画面上でクリップＣ９の上側に位置するクリップＣ６が選択された状態となる。
【００２９】
新たに選択されたクリップＣ６が、操作前にＬＣＤ２８で表示されていたクリップＣ７〜Ｃ１２の範囲から外れるので、ＣＰＵ３４は、新たにクリップ１〜６の先頭画像をディスク２０から読み出させ、そのサムネイルを画像処理部２２に生成させる。即ち、ＣＰＵ３４は、クリップの移動の際に、移動先のクリップが表示済みの場合には、同じ画面上で選択枠のみを移動し、移動先のクリップが未表示の場合には表示中のサムネイルを別のクリップのサムネイルで更新、即ち、画面単位で更新する。これにより、ＬＣＤ２８にはクリップＣ１〜Ｃ６のサムネイルが一覧表示され、ＬＣＤ２８の画面上でも、クリップＣ６に選択枠が付加的に表示される。
【００３０】
一方、外部モニタ６０の画面上では、新たに選択されたクリップＣ６が、操作前に表示していたクリップＣ１〜Ｃ１５の範囲に収まっているので、一覧表示されるサムネイルを更新することなしに、選択枠のみがクリップＣ６に移動する。
【００３１】
図３に示すようにクリップＣ９が選択された状態から、ユーザが十字レバー４２ａを３度、下側に倒すと、選択されているクリップが、クリップＣ１２、クリップＣ１５、そしてクリップＣ１８に移動し、図５に示す状態となる。ＣＰＵ３４は十字レバー４２ａの操作に応じて、以下のような制御を行う。
【００３２】
クリップＣ９からクリップＣ１２への移動では、ＬＣＤ２８の画面上でも、外部モニタ装置６０の画面上でも、選択枠のみが移動する。クリップＣ１２からクリップＣ１５への移動では、ＬＣＤ２８の画面上でクリップＣ１３〜Ｃ１８のサムネイルの一覧表示に画面単位で更新され、選択枠がクリップＣ１３に移動する。外部モニタ装置６０では選択枠のみが移動する。クリップＣ１５からクリップＣ１８への移動では、ＬＣＤ２８の画面上では選択枠のみが移動する。外部モニタ装置６０の画面上では、クリップＣ１８が未表示であるので、クリップＣ１６〜Ｃ２２のサムネイルの一覧表示に画面単位で更新され、選択枠がクリップＣ１８のサムネイル上に付加的に表示される。
【００３３】
本実施例では、クリップの移動の際に、移動先のクリップが表示済みの場合には、同じ画面上で選択枠のみを移動し、移動先のクリップが未表示の場合には、サムネイルを画面単位（すなわち、Ｎ個単位又はＭ個単位）で別のクリップのサムネイルに更新する。
【００３４】
本実施例では、一覧表示するサムネイルの横並び数については、付属モニタ装置（ＬＣＤ２８）と外部モニタ装置６０とで同数とし、外部モニタ装置６０の縦並び数を付属モニタ装置のそれよりも多くした。これにより、付属モニタ装置（ＬＣＤ２８）と外部モニタ装置６０で表示されるサムネイル数は異なるものの、操作部４２の十字レバー４２ａの操作で、同じクリップの選択状態を維持することができる。即ち、付属モニタ装置（ＬＣＤ２８）の画面を見ながらの操作と、外部モニタ装置６０の画面を見ながらの操作は、全く異なることが無い。本実施例により、従来例の操作性の悪さを解消できる。
【実施例２】
【００３５】
本発明の第２実施例を説明する。第２実施例では、外部モニタ装置６０に表示されている範囲から外れたクリップを選択する操作に対する表示画面の更新方法が、第１実施例とは異なる。第２実施例では、移動先のクリップが未表示の場合には、移動先のクリップが表示範囲に含まれるように、表示するクリップを上又は下にスクロールする。即ち、１行単位（すなわち、Ｘ個単位）でサムネイルを更新する。
【００３６】
例えば、第１実施例と同様に、ディスク２０にクリップＣ１〜Ｃ２２が記録されており、ユーザの操作によりクリップＣ９が選択されている状態にあるとする。このとき、第１実施例と同様に、図３に示すように、ＬＣＤ２８及び外部モニタ装置６０の画面には、図３に示すように、サムネイルの一覧が表示されている。
【００３７】
図３に示すようにクリップＣ９が選択された状態で、ユーザが十字レバー４２ａを３度、下側に倒すと、選択されているクリップが、クリップＣ１２、クリップＣ１５、そして、クリップＣ１８と移動し、図６に示す状態となる。即ち、クリップＣ９からクリップＣ１２への移動と、クリップＣ１２からクリップＣ１５への移動では、外部モニタ６０の画面上では選択枠のみが移動する。クリップＣ１５からクリップＣ１８への移動では、外部モニタ６０の画面上では、表示するクリップが縦方向に１行、すなわち横並びの３枚のサムネイルを単位でスクロールし、クリップＣ４〜Ｃ１８が表示される。選択枠はクリップＣ１８に移動する。
【実施例３】
【００３８】
本発明の第３実施例を説明する。十字キー４２ａの代わりにダイヤルスイッチを使用する。操作部４２に、図７に示すように、ダイヤルスイッチ３４２ａを設ける。サムネイルの一覧表示において、ダイヤルスイッチ３４２ａを上下に回転させることで、選択画像を順方向又は逆方向で移動させることができる。再生／一時停止ボタン４２ｅを押下すると、選択されているサムネイルに対するクリップの再生が始まる。クリップ再生中に停止ボタン４２ｆを押下した場合、もしくは一連の再生が終了した場合、再びサムネイルの一覧表示に戻る。
【００３９】
図８は、サムネイルの一覧表示の例を示す。ここでも、ディスク２０にはクリップＣ１〜Ｃ２２が記録されており、ユーザの操作によりクリップＣ９が選択されている状態にあるとする。
【００４０】
ＬＣＤ２８には、クリップＣ７〜Ｃ１２のサムネイルが横方向に３枚、縦方向に２枚ずつ並んで表示されている。横方向の個数：Ｐ＝３，ＬＣＤの表示個数：Ｎ＝６である。それに対して、外部モニタ装置６０には、クリップＣ１〜Ｃ２０のサムネイルが、横方向に５枚、縦方向に４枚ずつ並んで表示されている。横方向の個数：Ｑ＝５，外部モニタ装置の表示個数：Ｍ＝２０である。どちらの画面でも、選択されているクリップＣ９のサムネイルには、選択状態を示す縁取りのような選択枠が表示されている。また、外部モニタ装置６０に表示されている各サムネイルの下部には、クリップの撮影時刻などの付属情報が表示されている。
【００４１】
図８に示すようにクリップＣ９が選択された状態から、ユーザがダイヤルスイッチ３４２ａを１２ステップ分、下方向に回転させたとする。この回転操作に応じて、ＣＰＵ３４による制御のもと、選択されているクリップが、クリップＣ９から１クリップ刻みでクリップＣ２１に移動し、図９に示す状態となる。
【００４２】
クリップＣ１２からクリップＣ１３への移動と、クリップＣ１８からクリップＣ１９への移動では、新たに選択されるクリップが操作前にＬＣＤ２８で表示されていたクリップの範囲から外れる。従って、ＬＣＤ２８に表示されるサムネイルが画面単位（すなわち、Ｎ個単位）で異なるサムネイルに更新される。
【００４３】
また、クリップＣ２０からクリップＣ２１への移動では、新たに選択されるクリップが操作前に外部モニタ装置６０で表示されていたクリップの範囲から外れる。このとき、外部モニタ装置６０に表示されるサムネイルは、縦方向に１行単位、すなわちＱ個単位でスクロールし、外部モニタ装置６０の画面には、図９に示すように、クリップＣ６〜Ｃ２２のサムネイルが表示される。
【００４４】
いずれのクリップの移動に対しても、ＬＣＤ２８と外部モニタ装置６０の両方で、ダイヤルスイッチ３４２ａの操作に応じて選択枠が移動する。
【００４５】
本実施例では、ダイヤルスイッチ３４２ａにより、クリップ間を正順又は逆順に選択していくことになる。その際、付属モニタ装置であるＬＣＤ２８の画面では、サムネイルが面単位で更新され、外部モニタ装置６０では、縦方向に行単位でサムネイルが更新される。これにより、ＬＣＤ２８を見ながらでも、外部モニタ装置６０を見ながらでも、同様の操作で所望のクリップを選択できる。
【００４６】
上記何れの実施例でも、クリップの選択状態を示す要素として、選択枠以外に、選択記号、選択文字又は表示色等、選択状態と非選択状態を識別可能ないかなる要素も利用可能である。
【図面の簡単な説明】
【００４７】
【図１】本発明の一実施例の概略構成ブロック図である。
【図２】操作部４２の一例の概略構成図である。
【図３】クリップＣ９を選択した際の表示例である。
【図４】クリップＣ６を選択した際の表示例である。
【図５】クリップＣ１８を選択した際の表示例である。
【図６】クリップＣ１８を選択した際の別の表示例である。
【図７】操作部４２の別の構成の概略構成図である。
【図８】クリップＣ９を選択した際の別の表示例である。
【図９】クリップＣ２１を選択した際の表示例である。
【図１０】従来例の表示例である。
【符号の説明】
【００４８】
１０  ビデオカメラ
１２  カメラ部
１４  コーデック
１６  バッファメモリ
１８  ディスク制御装置
２０  ディスク
２２  画像処理部
２４  画像メモリ
２６  ＬＣＤ制御装置
２８  ＬＣＤ
３０  外部出力制御装置
３２  外部出力端子
３４  ＣＰＵ
３６  ＲＡＭ
３８  ＲＯＭ
４０  内部バス
４２  操作部
４２ａ  十字レバー
４２ｂ  ズームレバー
４２ｃ  巻き戻しボタン
４２ｄ  早送りボタン
４２ｅ  再生／一時停止ボタン
４２ｆ  停止ボタン
５０  接続ケーブル
６０  外部モニタ装置
３４２ａ  ダイヤルスイッチ
【図１】
2008271258.tif 000003
【図２】
2008271258.tif 000004
【図３】
2008271258.tif 000005
【図４】
2008271258.tif 000006
【図５】
2008271258.tif 000007
【図６】
2008271258.tif 000008
【図７】
2008271258.tif 000009
【図８】
2008271258.tif 000010
【図９】
2008271258.tif 000011
【図１０】
2008271258.tif 000012